(57)【要約】【課題】画像形成装置から出力する画像のプレビュー画像を従来よりも好適に表示する。【解決手段】画像形成装置１は、受け付けたジョブが特定のジョブであり、かつ、端末装置２を携帯するユーザの状態が第一の状態である場合は、このジョブによって出力される画像のプレビュー画像を端末装置２に表示させる。ユーザの状態が第一の状態とは異なる第二の状態である場合は、プレビュー画像を画像形成装置１自身のタッチパネルディスプレイに表示する。【選択図】図１
2017113960.tif 000002
【特許請求の範囲】
【請求項１】
端末装置と通信する通信装置およびディスプレイを有し、ジョブを実行することによって出力される出力画像を予め出力する前にプレビュー画像としてユーザへ提示する画像形成装置であって、
前記ジョブが特定のジョブであり、かつ、前記端末装置を携帯するユーザの状態が第一の状態である場合に、前記プレビュー画像を前記端末装置に表示させるためのリモート表示処理を行う、リモート表示処理手段と、
前記ジョブが前記特定のジョブでない場合、および、前記ユーザの状態が前記第一の状態とは異なる第二の状態である場合に、前記プレビュー画像を前記ディスプレイに表示させるためのローカル表示処理を行う、ローカル表示処理手段と、
を有することを特徴とする画像形成装置。
【請求項２】
前記ディスプレイは、タッチパネルディスプレイであり、
前記第一の状態は、前記ディスプレイを操作することができない状態であり、
前記第二の状態は、前記ディスプレイが目の前にありかつ前記ディスプレイを操作することができる状態である、
請求項１に記載の画像形成装置。
【請求項３】
前記特定のジョブは、実行するように指令されてから前記プレビュー画像を得るのに必要である時間が第一の時間以上であると推定されるジョブである、
請求項１または請求項２に記載の画像形成装置。
【請求項４】
前記特定のジョブは、前記ユーザが実行するように指令してから当該画像形成装置の場所を立ち去るまでに掛かる時間が第二の時間以下であると推定されるジョブである、
請求項１ないし請求項３のいずれかに記載の画像形成装置。
【請求項５】
前記特定のジョブは、機密の情報を示す画像を前記出力画像として出力するジョブである、
請求項１ないし請求項４のいずれかに記載の画像形成装置。
【請求項６】
前記ローカル表示処理手段は、前記プレビュー画像が前記端末装置において表示されている場合は、前記出力画像を出力する条件に応じたイラストを当該プレビュー画像の代わりに表示させるための第三の表示処理を行う、
請求項１ないし請求項５のいずれかに記載の画像形成装置。
【請求項７】
前記リモート表示処理手段は、前記ユーザが所定の操作を行った場合に、前記リモート表示処理を行う、
請求項１ないし請求項６のいずれかに記載の画像形成装置。
【請求項８】
前記端末装置に内蔵されている記録媒体からデータを読み取る読取手段、
を有し、
前記リモート表示処理手段は、前記読取手段によって前記記録媒体からデータが読み取られた場合に、前記リモート表示処理を行う、
請求項７に記載の画像形成装置。
【請求項９】
端末装置と通信する通信装置およびディスプレイを有する画像形成装置がジョブを実行することによって出力される出力画像を予め出力する前にプレビュー画像としてユーザへ提示するプレビュー画像提示方法であって、
前記ジョブが特定のジョブであり、かつ、前記端末装置を携帯するユーザの状態が第一の状態である場合に、前記プレビュー画像を前記端末装置によって表示し、
前記ジョブが前記特定のジョブでない場合、および、前記ユーザの状態が前記第一の状態とは異なる第二の状態である場合に、前記プレビュー画像を前記ディスプレイによって表示する、
ことを特徴とするプレビュー画像提示方法。
【請求項１０】
端末装置と通信する通信装置およびディスプレイを有し、ジョブを実行することによって出力される出力画像を予め出力する前にプレビュー画像としてユーザへ提示する画像形成装置に用いられるコンピュータプログラムであって、
当該画像形成装置に、
前記ジョブが特定のジョブであり、かつ、前記端末装置を携帯するユーザの状態が第一の状態である場合に、前記プレビュー画像を前記端末装置に表示させるためのリモート表示処理を実行させ、
前記ジョブが前記特定のジョブでない場合、および、前記ユーザの状態が前記第一の状態とは異なる第二の状態である場合に、前記プレビュー画像を前記ディスプレイに表示させるためのローカル表示処理を実行させる、
ことを特徴とするコンピュータプログラム。
【発明の詳細な説明】
【技術分野】
【０００１】
本発明は、いわゆるプレビュー画像を表示する技術に関する。
【背景技術】
【０００２】
近年、コピー、ネットワークプリント、ファックス、スキャン、およびファイルサーバなどの機能を集約した画像形成装置が普及している。このような画像形成装置は、「複合機」または「ＭＦＰ（Multi Function Peripherals）」などと呼ばれている。
【０００３】
さらに、ドキュメントを印刷した印刷物の仕上がりの状態を表す画像を予め表示する技術が普及している。このような画像は、一般に「プレビュー画像」と呼ばれている。また、このような表示は、一般に「プレビュー表示」または「プレビュー」などと呼ばれている。
【０００４】
ユーザは、ドキュメントを用紙に印刷する前にプレビュー表示を行うことによって、印刷物の不具合を予め知ることができる。これにより、用紙の無駄遣いを減らすことができる。
【０００５】
特定の処理（例えば、スキャン）によって得られた画像を電子データとして送信しまたは保存する際にも、プレビュー表示が用いられる。これにより、不具合のある電子データの送信または保存の防止を図ることができる。
【０００６】
プレビュー表示に関する技術として、従来、次のような技術が提案されている。ＭＦＰでは、タッチパネルに表示対象の操作画面に予め規定された秘密情報に基づく画像であるプレビュー画像が含まれる場合に、プレビュー画像の表示領域を非表示とした状態で操作画面をタッチパネルに表示する。さらに、ＭＦＰは、プレビュー画像を表示装置に表示する。表示装置は、プレビュー画像を表示する。ＭＦＰは、タッチパネルで操作画面に対するタッチを受け付けると、タッチされた位置を表わす位置情報を表示装置に送信する。表示装置は、位置情報に対応する位置に、手の指の画像などの予め記憶しているポインター画像をプレビュー画像よりも前面に重ねて表示する（特許文献１）。
【０００７】
また、近年、画像形成装置と端末装置とを連携させる技術が提案されている。画像形成装置は自装置の操作パネルと携帯端末が並置されて通信可能な連携状態になったことを検出した場合に、操作パネルと携帯端末の、動作中に変動する所定の装置状態（バッテリー残量、ＣＰＵやメモリのリソース残量など）に関する情報を取得し、該情報に基づいて、連携状態の操作パネルと携帯端末の画面の表示に関する役割分担を決定し、該決定した役割分担に従って操作パネルと携帯端末での画面表示を制御する（特許文献２）。
【０００８】
ジョブに関連付けたバーコードを画像処理装置の操作パネルに表示し、プライバシーの高い機器である携帯端末で読み取ることで、携帯端末上にサムネイル画像を表示する（特許文献３）。
【０００９】
画像形成装置と携帯端末とが連携して動作する画像形成システムにおいて、画像形成装置と携帯端末とのどちらが「主」の装置となり、どちらが「従」の装置となるかが自動的に切り替えられる。画像形成装置は、連係管理装置として機能し、画像形成装置に対して行われたユーザによる操作及び携帯端末に対して行われたユーザによる操作のうち少なくともいずれか一方を検出し、検出された内容に応じて、画像形成装置と携帯端末とのうち一方を主の装置とし、他方を従の装置とする。画像形成装置の表示パネルおよび携帯端末の表示パネルのそれぞれの表示内容は、画像形成装置が主の装置となるか携帯端末が主の装置となるかに応じて切り替えられる（特許文献４）。
【先行技術文献】
【特許文献】
【００１０】
【特許文献１】特開２０１５−１４９７７号公報
【特許文献２】特開２０１５−１４３７７９号公報
【特許文献３】特開２０１３−２０６０２６号公報
【特許文献４】特開２０１４−４５４１８号公報
【発明の概要】
【発明が解決しようとする課題】
【００１１】
ところで、画像形成装置は、オフィスまたは公共施設などに設置され複数のユーザによって共用されることがある。このような環境においては、あるユーザが画像形成装置にプレビュー表示を行わせると、プレビュー画像を他人に見られてしまうことがある。プレビュー画像に機密情報が含まれていると、セキュリティ上、好ましくない。
【００１２】
そこで、ユーザが所有している可搬型の端末装置にプレビュー表示を行わせることが考えられる。
【００１３】
しかし、このような端末装置のディスプレイは表示面が狭い。したがって、プレビュー画像の見易さに鑑みれば、画像形成装置にプレビュー表示を行わせたほうがよい。
【００１４】
本発明は、このような問題点に鑑み、従来よりも好適にプレビュー画像を表示することを目的とする。
【課題を解決するための手段】
【００１５】
本発明の一形態に係る画像形成装置は、端末装置と通信する通信装置およびディスプレイを有し、ジョブを実行することによって出力される出力画像を予め出力する前にプレビュー画像としてユーザへ提示する画像形成装置であって、前記ジョブが特定のジョブであり、かつ、前記端末装置を携帯するユーザの状態が第一の状態である場合に、前記プレビュー画像を前記端末装置に表示させるためのリモート表示処理を行う、リモート表示処理手段と、前記ジョブが前記特定のジョブでない場合、および、前記ユーザの状態が前記第一の状態とは異なる第二の状態である場合に、前記プレビュー画像を前記ディスプレイに表示させるためのローカル表示処理を行う、ローカル表示処理手段と、を有する。
【００１６】
好ましくは、前記ディスプレイは、タッチパネルディスプレイであり、前記第一の状態は、前記ディスプレイを操作することができない状態であり、前記第二の状態は、前記ディスプレイが目の前にありかつ前記ディスプレイを操作することができる状態である。
【００１７】
または、前記特定のジョブは、前記出力画像を得るのに必要である時間が第二の時間未満であると推定されるジョブである。または、前記ユーザが実行するように指令してから当該画像形成装置の場所を立ち去るまでに掛かる時間が所定の時間以下であると推定されるジョブである。または、機密の情報を示す画像を前記出力画像として出力するジョブである。
【発明の効果】
【００１８】
本発明によると、従来よりも好適にプレビュー画像を表示することができる。
【図面の簡単な説明】
【００１９】
【図１】画像処理システムの全体的な構成の例を示す図である。
【図２】画像形成装置のハードウェア構成の例を示す図である。
【図３】タッチパネルディスプレイ、操作キーパネル、およびＮＦＣリーダライタの配置の例を示す図である。
【図４】端末装置のハードウェア構成の例を示す図である。
【図５】画像形成装置および端末装置それぞれの機能的構成の例を示す図である。
【図６】ジョブ画面の例を示す図である。
【図７】選択要求画面の例を示す図である。
【図８】プレビュー画像が配置された際のプレビュー画面の例を示す図である。
【図９】イラストが配置された際のプレビュー画面の例を示す図である。
【図１０】イラストの変形例を示す図である。
【図１１】端末装置におけるプレビュー画面の表示の例を示す図である。
【図１２】画像形成装置の全体的な処理の流れの例を説明するフローチャートである。
【図１３】モバイルプレビュー処理の流れの例を説明するフローチャートである。
【発明を実施するための形態】
【００２０】
図１は、画像処理システム４の全体的な構成の例を示す図である。図２は、画像形成装置１のハードウェア構成の例を示す図である。図３は、タッチパネルディスプレイ１０ｅ、操作キーパネル１０ｆ、およびＮＦＣリーダライタ１０ｐの配置の例を示す図である。図４は、端末装置２のハードウェア構成の例を示す図である。
【００２１】
図１に示すように、画像処理システム４は、画像形成装置１、端末装置２、および通信回線３などによって構成される。
【００２２】
画像形成装置１および端末装置２は、通信回線３を介して通信を行うことができる。通信回線３として、ＬＡＮ（Local Area Network）または近距離無線通信回線などが用いられる。
【００２３】
画像処理システム４は、画像に関する種々の処理を実行する。また、ユーザによって指定された方法で画像を出力しまたは保存する前に、その画像の状態をシミュレートしてディスプレイに表示する。つまり、いわゆるプレビュー表示を行う。以下、シミュレートされた画像を「プレビュー画像」と記載する。
【００２４】
画像処理システム４は、企業、役所、または学校などの組織において、その組織のメンバによって使用される。各メンバつまり各ユーザには、識別用のユニークなコードがユーザコードとして与えられている。
【００２５】
画像形成装置１は、コピー、ネットワークプリント、ファックス、スキャン、およびボックスなどの機能を集約した装置である。一般に、「複合機」または「ＭＦＰ（Multi Function Peripherals）」などと呼ばれることがある。
【００２６】
ネットワークプリント機能は、端末装置２から受信した画像データに基づいて画像を用紙に印刷するサービスである。「ネットワークプリンティング」または「ＰＣプリント」などと呼ばれることもある。
【００２７】
ボックス機能は、ユーザごとに「ボックス」または「パーソナルボックス」などと呼ばれる記憶領域を与えておき、各ユーザが自分の記憶領域によって画像データなどを保存し管理するためのサービスである。ボックスは、パーソナルコンピュータにおける「フォルダ」または「ディレクトリ」に相当する。
【００２８】
画像形成装置１は、図２に示すように、ＣＰＵ（Central Processing Unit）１０ａ、ＲＡＭ（Random Access Memory）１０ｂ、ＲＯＭ（Read Only Memory）１０ｃ、補助記憶装置１０ｄ、タッチパネルディスプレイ１０ｅ、操作キーパネル１０ｆ、ＮＩＣ（Network Interface Card）１０ｇ、近距離無線通信装置１０ｈ、モデム１０ｉ、スキャンユニット１０ｊ、プリントユニット１０ｋ、フィニッシャ１０ｎ、およびＮＦＣ（Near Field Communication）リーダライタ１０ｐなどによって構成される。
【００２９】
タッチパネルディスプレイ１０ｅは、ユーザに対するメッセージを示す画面、ユーザがコマンドまたは情報を入力するための画面、およびＣＰＵ１０ａなどが実行した処理の結果を示す画面などを表示する。また、タッチパネルディスプレイ１０ｅは、タッチされた位置を示す信号をＣＰＵ１０ａへ送る。
【００３０】
操作キーパネル１０ｆは、いわゆるハードウェアキーボードであって、テンキー、スタートキー、ストップキー、およびファンクションキーなどによって構成される。
【００３１】
ＮＩＣ１０ｇは、ＴＣＰ／ＩＰ（Transmission Control Protocol/Internet Protocol）などのプロトコルによって端末装置２などと通信を行う。
【００３２】
近距離無線通信装置１０ｈは、到達する距離が数メートルないし十数メートル程度の電波によって通信を行う。近距離無線通信装置１０ｈとして、Ｂｌｕｅｔｏｏｔｈ（登録商標）またはワイヤレスＵＳＢ（Universal Serial Bus）などの規格に準拠する装置が用いられる。本実施形態では、３〜５メートル離れた他の装置と通信を行うように電波の強度が設定されている。
【００３３】
モデム１０ｉは、ファクシミリ端末との間でＧ３などのプロトコルで画像データをやり取りする。
【００３４】
スキャンユニット１０ｊは、プラテンガラスの上にセットされたシートに記されている画像を読み取って画像データを生成する。
【００３５】
プリントユニット１０ｋは、スキャンユニット１０ｊによって読み取られた画像のほか、ＮＩＣ１０ｇ、近距離無線通信装置１０ｈ、またはモデム１０ｉによって端末装置２またはファクシミリ端末などから受信した画像を用紙に印刷する。
【００３６】
フィニッシャ１０ｎは、プリントユニット１０ｋによって画像が印刷された用紙すなわち印刷物に対して仕上げの処理を行う。仕上げの処理は、印刷物をステープルで綴じる処理、印刷物にパンチ穴を開ける処理、または印刷物を折り曲げる処理などである。
【００３７】
ＮＦＣリーダライタ１０ｐは、ＮＦＣに対応したＩＣ（Integrated Circuit）チップからデータを読み取ったりＩＣチップにデータを書き込んだりする。本実施形態では、ＮＦＣリーダライタ１０ｐとＩＣチップとの通信距離は、１０センチメートル程度に限定されている。
【００３８】
また、ＮＦＣリーダライタ１０ｐは、図３に示すように、操作キーパネル１０ｆの隣に配置されている。
【００３９】
ＲＯＭ１０ｃまたは補助記憶装置１０ｄには、上述のコピーなどの機能を用いた種々の種類のジョブを実行するためのジョブプログラム１０ｒのほか、プレビュー表示のためのプレビュープログラム１０ｑが記憶されている。なお、ジョブプログラム１０ｒは、ジョブの種類ごとに記憶されている。
【００４０】
これらのプログラムは、必要に応じてＲＡＭ１０ｂにロードされ、ＣＰＵ１０ａによって実行される。補助記憶装置１０ｄとして、ハードディスクまたはＳＳＤ（Solid State Drive）などが用いられる。
【００４１】
端末装置２は、画像形成装置１の上述の機能を遠隔的に使用するためのクライアントである。端末装置２として、スマートフォン、タブレットコンピュータ、または携帯電話端末などの可搬型のコンピュータが用いられる。以下、端末装置２としてスマートフォンが用いられる場合を例に説明する。
【００４２】
端末装置２は、図４に示すように、ＣＰＵ２０ａ、ＲＡＭ２０ｂ、ＲＯＭ２０ｃ、フラッシュメモリ２０ｄ、タッチパネルディスプレイ２０ｅ、デジタルカメラ２０ｆ、携帯電話通信装置２０ｇ、無線ＬＡＮ通信装置２０ｈ、近距離無線通信装置２０ｉ、およびＮＦＣチップ２０ｊなどによって構成される。
【００４３】
タッチパネルディスプレイ２０ｅは、ユーザに対するメッセージを示す画面、ユーザがコマンドまたは情報を入力するための画面、およびＣＰＵ２０ａが実行した処理の結果を示す画面などを表示する。デジタルカメラ２０ｆは、画像を撮影しその画像の画像データを生成する。
【００４４】
携帯電話通信装置２０ｇは、ＬＴＥ（Long Term Evolution）などの携帯電話網を介して他の装置との通信を行う。
【００４５】
無線ＬＡＮ通信装置２０ｈは、通信回線３を構成する無線基地局を介してＴＣＰ／ＩＰなどのプロトコルによって画像形成装置１と通信を行う。
【００４６】
近距離無線通信装置２０ｉは、画像形成装置１の近距離無線通信装置１０ｈと同じ規格に基づいて無線によって画像形成装置１などとの通信を行う。
【００４７】
ＮＦＣチップ２０ｊは、ＮＦＣの規格に対応したＩＣチップである。ＮＦＣチップ２０ｊには、端末装置２自身の識別子などが記憶されている。
【００４８】
ＲＯＭ２０ｃまたはフラッシュメモリ２０ｄには、画像形成装置１の上述の機能を使用するためのドライバおよびアプリケーションが記憶されている。さらに、プレビュー表示を行うためのプレビュープログラム２０ｑが記憶されている。
【００４９】
これらのプログラムは、必要に応じてＲＡＭ２０ｂにロードされ、ＣＰＵ２０ａによって実行される。
【００５０】
プレビュープログラム１０ｑおよびプレビュープログラム２０ｑによると、プレビュー画像を従来よりもセキュアにユーザへ見せることができる。以下、この仕組みについて、説明する。
【００５１】
図５は、画像形成装置１および端末装置２それぞれの機能的構成の例を示す図である。図６は、ジョブ画面６Ａの例を示す図である。図７は、選択要求画面６Ｂの例を示す図である。図８は、プレビュー画像６Ｃ１が配置された際のプレビュー画面６Ｃの例を示す図である。図９は、イラスト６Ｃ４が配置された際のプレビュー画面６Ｃの例を示す図である。図１０は、イラスト６Ｃ４の変形例を示す図である。図１１は、端末装置２におけるプレビュー画面６Ｃの表示の例を示す図である。
【００５２】
プレビュープログラム１０ｑによると、図５に示すジョブ受付部１０１、出力用データ取得部１０２、特定ジョブ判別部１０３、リモート装置検知部１０４、リモート表示コマンド受付部１０５、現在地検知部１０６、ローカルプレビュー表示部１２１、リモートプレビュー表示部１２２、プレビュー終了処理部１２３、および出力指令部１２４などが画像形成装置１に実現される。
【００５３】
ジョブプログラム１０ｒによると、ジョブ制御部１３１が画像形成装置１に実現される。上述の通り、ジョブプログラム１０ｒは、ジョブの種類ごとに用意されている。よって、ジョブ制御部１３１は、ジョブの種類ごとに実現される。
【００５４】
プレビュープログラム２０ｑによると、プレビュー表示部２０１および出力指令部２０２などが端末装置２に実現される。
【００５５】
ジョブ受付部１０１は、ユーザからジョブを受け付ける処理を行う。この処理は、次のように実行される。
【００５６】
ユーザは、タッチパネルディスプレイ１０ｅまたは操作キーパネル１０ｆを操作して自分のユーザコードを画像形成装置１へ入力し、画像形成装置１にログインする。
【００５７】
すると、ジョブ受付部１０１は、図６のようなジョブ画面６Ａをタッチパネルディスプレイ１０ｅに表示させる。ジョブ画面６Ａは、ジョブの条件を指定するための画面であって、ジョブの種類ごとに用意されている。そこで、画像形成装置１は、デフォルトの種類のジョブ画面６Ａを表示させる。本実施形態では、コピージョブ（用紙から画像をスキャンして他の用紙に複写するジョブ）のジョブ画面６Ａを表示させる。なお、図６は、コピージョブのジョブ画面６Ａの例である。
【００５８】
その後、ユーザがジョブの種類を選択するごとに、ジョブ受付部１０１は、現在表示させているジョブ画面６Ａに代えて、その種類のジョブ画面６Ａを表示させる。１つのジョブ画面６Ａを複数の種類によって共通に使用してもよい。
【００５９】
ユーザは、適宜操作を行って、実行させたいジョブの種類のジョブ画面６Ａを表示させる。そして、ジョブの条件を入力し、ジョブの開始のコマンド（以下、「ジョブコマンド」と記載する。）を入力する。ジョブコマンドは、例えば、操作キーパネル１０ｆの中のスタートキーを押すことによって入力することができる。
【００６０】
さらに、ユーザは、プレビュー画像を見たい場合は、プレビュー表示が適用されるように選択を行う。例えば、ジョブコマンドを入力する前に、プレビュー表示のチェックボックスをオンにしておく。または、操作キーパネル１０ｆの中の、ジョブコマンドおよびプレビュー表示の適用の選択を兼ねたボタンを押す。既にプレビュー表示が適用されるように設定されている場合は、特に操作を行わなくてもよい。
【００６１】
また、ユーザは、実行させたいジョブの種類に応じて、ジョブコマンドを入力する前に、用紙をスキャンユニット１０ｊにセットしておく。
【００６２】
そして、ジョブ受付部１０１は、ユーザがジョブ画面６Ａに対して入力した条件およびジョブコマンドを受け付ける。このようにして、ジョブ受付部１０１は、ユーザからジョブを受け付ける。以下、ジョブ受付部１０１によって受け付けられたジョブを「実行対象ジョブ」と記載する。
【００６３】
出力用データ取得部１０２は、実行対象ジョブの出力用の画像データを用意するように、そのジョブの種類に対応するジョブ制御部１３１へ要求し、この画像データを取得する。
【００６４】
例えば、実行対象ジョブがコピージョブである場合は、出力用データ取得部１０２は、セットされた用紙から画像を読み取って画像データを生成するように、コピージョブに対応するジョブ制御部１３１へ要求する。実行対象ジョブがスキャンｔｏＥ−Ｍａｉｌジョブ（用紙から画像を読み取って画像データを生成し、ユーザが指定した電子メールアドレスへ電子メールに添付して送信するジョブ）である場合も同様に、要求する。ただし、要求先は、スキャンｔｏＥ−Ｍａｉｌジョブに対応するジョブ制御部１３１である。
【００６５】
または、実行対象ジョブがボックスプリントジョブ（ユーザが指定した画像の画像データをボックスから読み出して、その画像を用紙に印刷するジョブ）である場合は、出力用データ取得部１０２は、ユーザが指定した画像の画像データをボックスから読み出すように、ボックスプリントジョブに対応するジョブ制御部１３１へ要求する。
【００６６】
ジョブ制御部１３１は、出力用データ取得部１０２からの要求に応じて、出力用の画像データを用意する処理を行う。この際に、ユーザが指定した条件に応じて適宜、後に例示する（ｂ）〜（ｄ）などの処理を行う。
【００６７】
この処理は、実行対象ジョブを構成する複数の処理（フェーズ）のうちの一部分である。したがって、ジョブ制御部１３１は、この要求に応じて、実行対象ジョブの一部分の処理を開始する。具体例は、上述の通りである。
【００６８】
そして、ジョブ制御部１３１は、用意した出力用の画像データを出力用データ取得部１０２へ与える。出力の対象が複数のページの画像（ページ画像）からなる場合は、１つのページ画像ごとに出力用の画像データを出力用データ取得部１０２へ与えてもよい。以下、出力の対象の出力用の画像データを「画像データ５０」と記載する。
【００６９】
特定ジョブ判別部１０３は、出力用データ取得部１０２が画像データ５０を取得する処理と並行して、実行対象ジョブが特定のジョブであるか否かを判別する。特定のジョブは、次のタイプ＿１、タイプ＿２、およびタイプ＿３のうちのいずれか１つないし３つのタイプに該当するジョブである。
（タイプ＿１）  ジョブコマンドが入力されてからプレビュー表示するまでに掛かる時間が所定の時間Ｔ１以上であると推定されるジョブ。
（タイプ＿２）  ユーザがジョブコマンドを入力してから画像形成装置１の設置されている場所を立ち去るまでに掛かる時間が所定の時間Ｔ２以下であると推定されるジョブ。
（タイプ＿３）  機密の情報を含む画像を出力するジョブ。
【００７０】
特定ジョブ判別部１０３は、実行対象ジョブがタイプ＿１のジョブであるか否かを、次のように判別すればよい。
【００７１】
実行対象ジョブに所定の処理が含まれている場合は、特定ジョブ判別部１０３は、実行対象ジョブがタイプ＿１のジョブであると判別する。所定の処理の例は、次の（ａ）〜（ｄ）の通りである。
（ａ）  用紙をスキャンして画像データを生成する処理（スキャン処理）。
（ｂ）  画像データに示される画像に含まれる文字を認識してテキストデータを生成する処理（文字認識処理）。
（ｃ）  画像データに示されるテキストを他の言語へ翻訳する処理（翻訳処理）。
（ｄ）  画像データに示される画像の解像度を変更したり、ノイズを除去したり、エッジを強調したりする処理（画像処理）。
【００７２】
または、特定ジョブ判別部１０３は、次の（ｅ）および（ｆ）のいずれかに該当する場合に、実行対象ジョブがタイプ＿１のジョブであると判別してもよい。
（ｅ）  画像データ５０のサイズが所定のサイズ以上である場合。
（ｆ）  スキャンユニット１０ｊによってスキャンされた用紙の枚数が所定の枚数以上である場合。
【００７３】
特定ジョブ判別部１０３は、次の（ｇ）に該当する場合に、実行対象ジョブがタイプ＿２のジョブであると判別すればよい。
（ｇ）  ボックスから画像データを読み出す処理を含むが印刷の処理を含まないジョブ。
【００７４】
また、特定ジョブ判別部１０３は、画像データ５０に示される画像に「秘密」、「機密」、または「取扱い注意」などの特定の文字列が含まれていれば、実行対象ジョブがタイプ＿３のジョブであると判別すればよい。または、画像データ５０が暗号化されている場合に実行対象ジョブがタイプ＿３のジョブであると判別してもよい。
【００７５】
リモート装置検知部１０４は、実行対象ジョブが特定のジョブであると特定ジョブ判別部１０３によって判別された場合に、画像形成装置１自身の近傍にある端末装置（以下、「リモート端末装置」と記載する。）を検知する。検知の方法として、公知の方法を用いればよい。例えば、近距離無線通信装置１０ｈによってリモート端末装置からの無線標識を受信することによって検知すればよい。
【００７６】
リモート表示コマンド受付部１０５は、実行対象ジョブが特定のジョブであると特定ジョブ判別部１０３によって判別され、かつ、リモート装置検知部１０４によってリモート端末装置が検知された場合に、プレビュー画像をリモート端末装置において表示する旨の指令（以下、「リモート表示コマンド」と記載する。）を受け付ける処理を次のように実行する。
【００７７】
リモート表示コマンド受付部１０５は、図７のような選択要求画面６Ｂをタッチパネルディスプレイ１０ｅに表示させる。選択要求画面６Ｂには、リモート端末装置によるプレビュー表示（以下、「リモートプレビュー表示」と記載する。）を勧めるメッセージが示されている。
【００７８】
ユーザは、プレビュー画像を端末装置２で確認したい場合は、端末装置２をＮＦＣリーダライタ１０ｐに近づけることによってリモートプレビュー表示を選択する。ＮＦＣリーダライタ１０ｐの表面にタッチさせるのが望ましい。
【００７９】
すると、端末装置２のＮＦＣチップ２０ｊは、ＮＦＣリーダライタ１０ｐが発信する所定の信号を受信し、ユーザコードなどを示す応答信号５１を発信する。ＮＦＣリーダライタ１０ｐは、応答信号５１を受信する。
【００８０】
そして、リモート表示コマンド受付部１０５は、応答信号５１をリモート表示コマンドとして受け付ける。
【００８１】
一方、プレビュー画像を端末装置２で確認したくない場合は、ユーザは、中止ボタン６Ｂ１を押す。
【００８２】
すると、リモート表示コマンド受付部１０５は、この選択を、画像形成装置１自身でのみプレビュー表示を行う旨のコマンド（以下、「ローカル表示コマンド」と記載する。）として受け付ける。
【００８３】
現在地検知部１０６は、リモート表示コマンドがリモート表示コマンド受付部１０５によって受け付けられると、端末装置２を携帯するユーザが現在いる位置（現在地）の検出を開始する。具体的には、ユーザが
・第一の位置：  タッチパネルディスプレイ１０ｅおよび操作キーパネル１０ｆがユーザの目の前に見えかつユーザによって操作され得る位置
・第二の位置：  タッチパネルディスプレイ１０ｅおよび操作キーパネル１０ｆがユーザの目の前には見えないが、画像形成装置１を囲む所定の範囲（例えば、画像形成装置１を中心とする半径１メートルの範囲）の中の位置
・第三の位置：  第二の位置よりも外側の位置
のうちのいずれの位置にいるのかを判別する。判別は、公知の方法によって行うことができる。
【００８４】
例えば、応答信号５１が受信されまたはタッチパネルディスプレイ１０ｅまたは操作キーパネル１０ｆが操作されてから未だ所定の時間（例えば、５秒）が経過していなければ、リモート表示コマンド受付部１０５は、ユーザが第一の位置にいると判別する。
【００８５】
プリントユニット１０ｋの給紙トレイが開いている場合は、リモート表示コマンド受付部１０５は、ユーザが第二の位置にいると判別する。または、詰まった用紙を除去しまたはトナーを補充するための扉が開いている場合も同様に、ユーザが第二の位置にいると判別する。
【００８６】
ユーザが第一の位置および第二の位置のいずれにもいないと判別した場合に、現在地検知部１０６は、ユーザが第三の位置にいると判別する。
【００８７】
または、現在地検知部１０６は、端末装置２の近距離無線通信装置２０ｉから送信された無線標識を近距離無線通信装置１０ｈで受信することによって、画像形成装置１と端末装置２との距離または位置関係を求める。そして、求めた距離または位置関係に基づいて、ユーザが第一の位置、第二の位置、および第三の位置のうちのいずれにいるのかを判別する。
【００８８】
または、画像形成装置１の周囲の数ヶ所に人体の重みを検知するセンサを設けておく。そして、現在地検知部１０６は、タッチパネルディスプレイ１０ｅに一番近い位置のセンサによって重みが検知される場合は、ユーザが第一の位置にいると判別する。他のセンサによって重みが検知される場合は、ユーザが第二の位置にいると判別する。いずれのセンサによっても重みが検知されない場合は、ユーザが第三の位置にいると判別する。
【００８９】
または、端末装置２にジャイロセンサが備わっている場合は、現在地検知部１０６は、端末装置２のＮＦＣチップ２０ｊがＮＦＣリーダライタ１０ｐによって検知されたら、位置の変化の計測をジャイロセンサに開始させる。そして、計測された変化に応じてユーザが第一の位置、第二の位置、および第三の位置のいずれにいるのかを判別する。
【００９０】
ローカルプレビュー表示部１２１は、ユーザが第一の位置にいると現在地検知部１０６によって判別された場合に、図８のようなプレビュー画面６Ｃをタッチパネルディスプレイ１０ｅに表示させる。
【００９１】
プレビュー画面６Ｃには、画像データ５０に示される画像がプレビュー画像６Ｃ１として配置される。画像データ５０に示される画像が複数のページ画像からなる場合は、一部のページ画像がプレビュー画面６Ｃに配置されることがある。この場合は、ユーザが次ページボタン６Ｃ２または前ページボタン６Ｃ３を押すごとに、そのページ画像の代わりに次のページ画像または前のページ画像が配置される。
【００９２】
また、プレビュー画像６Ｃ１には、出力の状態が示される。例えば、集約印刷（Ｎｉｎ１印刷）が指定されている場合は、プレビュー画像６Ｃ１は、Ｎページ分のページ画像が１枚の用紙に印刷された印刷物の状態を表わす。または、仕上げとしてステープル綴じを行うように指定されている場合は、プレビュー画像６Ｃ１は、画像が印刷されかつステープル（針）が打たれた印刷物の状態を表わす。
【００９３】
ローカルプレビュー表示部１２１は、ユーザが第二の位置にいると現在地検知部１０６によって判別された場合に、プレビュー画面６Ｃをタッチパネルディスプレイ１０ｅに表示させる。ただし、図９のように、画像データ５０またはそれに示される画像の出力または印刷物の仕上げの条件に応じたイラスト６Ｃ４をプレビュー画像６Ｃ１の代わりに配置する。
【００９４】
図９に示すイラスト６Ｃ４は、用紙の表（おもて）面のみに１ページ分のページ画像を印刷して出力することを表わしている。図１０（Ａ）に示すイラスト６Ｃ４は、用紙の両面それぞれに１ページ分のページ画像を印刷しそれらの用紙をステープルで綴じることを表わしている。図１０（Ｂ）に示すイラスト６Ｃ４は、小冊子印刷して中央をステープルで綴じることを表わしている。
【００９５】
リモートプレビュー表示部１２２は、ユーザが第二の位置または第三の位置にいると現在地検知部１０６によって判別された場合に、プレビュー画面６Ｃを端末装置２のタッチパネルディスプレイ２０ｅに表示させる処理を次のように行う。
【００９６】
リモートプレビュー表示部１２２は、プレビュー画面６Ｃの画像データおよびプレビュー表示の指令を端末装置２へ送信する。
【００９７】
すると、端末装置２において、プレビュー表示部２０１は、図１１のように、この画像データに基づいてプレビュー画面６Ｃをタッチパネルディスプレイ２０ｅに表示させる。
【００９８】
ユーザは、プレビュー画像６Ｃ１またはイラスト６Ｃ４を見ることによって、実行対象ジョブに含まれる処理のうちの出力の処理を実行させてもよいか否かを決める。そして、実行させてもよい場合は、出力ボタン６Ｃ５を押す。または、プレビュー表示を終了させたい場合は、終了ボタン６Ｃ６を押す。これらの操作は、タッチパネルディスプレイ１０ｅおよびタッチパネルディスプレイ２０ｅのどちらを用いても行うことができる。
【００９９】
プレビュー終了処理部１２３は、プレビュー画面６Ｃの表示を終了させる処理を次のように行う。
【０１００】
ユーザが第三の位置にいると現在地検知部１０６によって検知された場合に、プレビュー終了処理部１２３は、タッチパネルディスプレイ１０ｅにおけるプレビュー画面６Ｃの表示を終了させる。
【０１０１】
ユーザが出力ボタン６Ｃ５または終了ボタン６Ｃ６を押した場合は、プレビュー終了処理部１２３は、タッチパネルディスプレイ１０ｅおよびタッチパネルディスプレイ２０ｅそれぞれにおけるプレビュー画面６Ｃの表示を終了させる。なお、タッチパネルディスプレイ２０ｅにおける表示を終了させる場合は、端末装置２へ終了指令信号５２を送信する。
【０１０２】
端末装置２において、プレビュー表示部２０１は、終了指令信号５２を受信すると、プレビュー画面６Ｃの表示を終了させる。
【０１０３】
出力指令部２０２は、ユーザが出力ボタン６Ｃ５を押した場合は、出力指令信号５３を画像形成装置１へ送信する。
【０１０４】
出力指令部１２４は、端末装置２から出力指令信号５３が送信されてきた場合およびタッチパネルディスプレイ１０ｅにおいて出力ボタン６Ｃ５をユーザが押した場合に、出力を開始するようにジョブ制御部１３１へ指令する。
【０１０５】
ジョブ制御部１３１は、出力指令部１２４からの指令を受けると、画像データ５０を用いて、実行対象ジョブを構成する残りの処理（画像データ５０の送信または画像データ５０に示される画像の印刷など）を実行する。
【０１０６】
図１２は、画像形成装置１の全体的な処理の流れの例を説明するフローチャートである。図１３は、モバイルプレビュー処理の流れの例を説明するフローチャートである。
【０１０７】
次に、画像形成装置１におけるプレビュー表示に関する全体的な処理の流れを、フローチャートを参照しながら説明する。画像形成装置１は、図１２に示す流れの処理を、プレビュープログラム１０ｑに基づいて実行する。
【０１０８】
画像形成装置１は、ジョブ画面６Ａ（図６参照）を表示し、ユーザがジョブ画面６Ａを介して与えたジョブ（実行対象ジョブ）を受け付ける（図１２の＃１１）。
【０１０９】
すると、画像形成装置１は、実行対象ジョブを構成する複数の処理のうちの、画像データ５０を取得する処理を開始し（＃１２）、実行対象ジョブが特定のジョブ（上述のタイプ＿１、タイプ＿２、およびタイプ＿３のうちのいずれかのジョブ）であるか否かを判別する（＃１３）。
【０１１０】
実行対象ジョブが特定のジョブであると判別した場合は（＃１４でＹｅｓ）、画像形成装置１は、画像形成装置１自身の近傍にある端末装置の検知を試みる（＃１５）。検知することができた場合は（＃１６でＹｅｓ）、選択要求画面６Ｂ（図７参照）を表示することによってリモートプレビュー表示を勧める（＃１７）。以下、ユーザが端末装置２を所持している場合を例に説明する。
【０１１１】
画像形成装置１は、プレビュー表示をリモート端末装置で行うのかローカル（画像形成装置１）で行うのかの選択を受け付ける（＃１８）。そして、ユーザが端末装置２をＮＦＣリーダライタ１０ｐに近づけることによってリモートプレビュー表示を選択した場合は（＃１９でＹｅｓ）、ユーザの現在地に応じて画像形成装置１または端末装置２によるプレビュー表示の処理を行う（＃２０）。この処理は、図１３に示す手順で行われる。
【０１１２】
画像形成装置１は、ユーザの現在地の検出を開始し（＃３０１）、検出結果に応じて次のようにプレビュー表示を行う。
【０１１３】
現在地が第一の位置である場合は（＃３０２でＹｅｓ）、画像形成装置１は、自らのタッチパネルディスプレイ１０ｅによってプレビュー画面６Ｃ（図８参照）を表示する（＃３０３）。この時点においては、プレビュー画面６Ｃにプレビュー画像６Ｃ１が配置される。
【０１１４】
現在地が第二の位置である場合は（＃３０２でＮｏ、＃３０４でＹｅｓ）、画像形成装置１は、図９のようにプレビュー画像６Ｃ１の代わりにイラスト６Ｃ４を配置してプレビュー画面６Ｃを自らのタッチパネルディスプレイ１０ｅに表示する（＃３０５、＃３０６）。さらに、プレビュー画面６Ｃの画像データを端末装置２へ送信することによって端末装置２にプレビュー画面６Ｃを表示させる（＃３０７）。このプレビュー画面６Ｃには、プレビュー画像６Ｃ１が配置される。
【０１１５】
現在地が第三の位置である場合は（＃３０２でＮｏ、＃３０４でＮｏ）、画像形成装置１は、自らのタッチパネルディスプレイ１０ｅにおけるプレビュー表示を終了する（＃３０８）。つまり、プレビュー画面６Ｃを表示するのを終了する。また、未だプレビュー画面６Ｃを端末装置２に表示させていない場合は、プレビュー画面６Ｃの画像データを端末装置２へ送信することによって端末装置２にプレビュー画面６Ｃを表示させる（＃３０９）。このプレビュー画面６Ｃには、プレビュー画像６Ｃ１が配置される。
【０１１６】
現在地が変わった場合は（＃３１０でＹｅｓ）、画像形成装置１は、ステップ＃３０２に戻って上述の処理を実行する。
【０１１７】
ユーザが出力ボタン６Ｃ５を押した場合は（＃３１０でＮｏ、＃３１１でＹｅｓ）、図１３のルーチンを抜け、図１２のステップ＃２３へ進む。
【０１１８】
図１２において、ユーザが出力ボタン６Ｃ５を押すなどして出力を指令した場合は（＃２２でＹｅｓ）、画像形成装置１は、画像データ５０を出力しまたは画像データ５０に示される画像を用紙に印刷するなどして、出力の処理を行う（＃２３）。ただし、保存先としてボックスが指定された場合は、画像データ５０をそのボックスに保存する。そして、画像形成装置１および端末装置２それぞれにおけるプレビュー表示を終了させる（＃２４）。なお、ユーザが終了ボタン６Ｃ６を押すなどしてプレビュー表示の終了を指令した場合も、プレビュー表示を終了させる。
【０１１９】
本実施形態によると、画像形成装置１は、与えられたジョブが特定のジョブに該当する場合は、プレビュー画像６Ｃ１を、ユーザが特定の状態であれば（第一の位置にいれば）タッチパネルディスプレイ１０ｅによって表示するが、特定の状態でなければ端末装置２のタッチパネルディスプレイ２０ｅに表示させる。これにより、従来よりも好適にプレビュー画像をユーザへ提示することができる。
【０１２０】
本実施形態では、プレビュー画像を画像形成装置１および端末装置２のどちらが表示するかを、画像形成装置１とユーザとの位置関係に応じて決めたが、ユーザが画像形成装置１の場所を離れてから経過した時間に応じて決めてもよい。
【０１２１】
例えば、この場所にいるときは、画像形成装置１が図７のようにプレビュー表示を行う。この場所をユーザが離れてから所定の時間（例えば、５秒）が経過したら、端末装置２が図１１のようにプレビュー画像６Ｃ１を表示し、画像形成装置１が図８のようにプレビュー画像６Ｃ１の代わりにイラスト６Ｃ４を表示する。そして、さらに所定の時間（例えば、１０秒）が経過したら、画像形成装置１は、プレビュー画面６Ｃを表示するのを止める。端末装置２は、引き続き、プレビュー画像６Ｃ１を表示する。
【０１２２】
ユーザが画像形成装置１の場所を離れたことは、近距離無線通信装置２０ｉからの無線標識の強さ（電波強度）に基づいて算出される画像形成装置１と端末装置２との距離が所定の長さ（例えば、１メートル）を超えたのを検知することによって、判別すればよい。または、ユーザがタッチパネルディスプレイ１０ｅおよび操作キーパネル１０ｆの操作を止めてから所定の時間（例えば、１０秒）を超えた場合に、画像形成装置１の場所を離れたと判別してもよい。
【０１２３】
第一の位置、第二の位置、および第三の位置を画像形成装置１の位置からの距離のみに応じて定めてもよい。例えば、画像形成装置１から半径１メートル未満の範囲を第一の位置と定め、半径１メートル以上３メートル未満の範囲を第二の位置と定め、半径５メートル以上の範囲を第三の位置と定めてもよい。
【０１２４】
本実施形態では、画像形成装置１は、端末装置２によるプレビュー表示を行うか否かを、選択要求画面６Ｂを表示しユーザに選択させた。しかし、ユーザによる選択に依らず、ユーザの現在地などに応じて端末装置２へのプレビュー表示を行ってもよい。
【０１２５】
本実施形態では、画像形成装置１は、ユーザが端末装置２を携帯していることをＮＦＣによって検知したが、ユーザが端末装置２を操作して遠隔的に画像形成装置１へログインした場合に、ユーザが端末装置２を携帯していると判別してもよい。
【０１２６】
その他、画像処理システム４、画像形成装置１、端末装置２の全体または各部の構成、処理の内容、処理の順序、画面の構成などは、本発明の趣旨に沿って適宜変更することができる。
【符号の説明】
【０１２７】
１  画像形成装置
１０ｅ  タッチパネルディスプレイ（ディスプレイ）
１０ｐ  ＮＦＣリーダライタ（読取手段）
１２１  ローカルプレビュー表示部（ローカル表示処理手段）
１２２  リモートプレビュー表示部（リモート表示処理手段）
２  端末装置
２０ｊ  ＮＦＣチップ（記録媒体）
５０  画像データ
６Ｃ１  プレビュー画像
【図１】
2017113960.tif 000003
【図２】
2017113960.tif 000004
【図３】
2017113960.tif 000005
【図４】
2017113960.tif 000006
【図５】
2017113960.tif 000007
【図６】
2017113960.tif 000008
【図７】
2017113960.tif 000009
【図８】
2017113960.tif 000010
【図９】
2017113960.tif 000011
【図１０】
2017113960.tif 000012
【図１１】
2017113960.tif 000013
【図１２】
2017113960.tif 000014
【図１３】
2017113960.tif 000015